(57)【要約】【課題】  複数の飲食店が提供する飲食物を注文する場合であっても、各飲食店に電話をする又は各飲食店の注文用ウェブサイトにアクセスしなくても済むようにする。また、複数の飲食店が提供する飲食物の比較検討を容易にする。【解決手段】  注文受付用電話の電話番号および注文受付用ウェブサイトのＵＲＬに対応する二次元コードが記載された第１面と、第１の飲食物提供者によって提供される飲食物に関する情報と、第２の飲食物提供者によって提供される飲食物に関する情報とが記載された第２面と、を含むことを特徴とする複合チラシ。【選択図】  図１
2012208355.tif 000002
【特許請求の範囲】
【請求項１】
注文受付用電話の電話番号及び／又は注文受付用ウェブサイトのＵＲＬに対応する二次元コードと、
少なくとも、第１の飲食物提供者によって提供される飲食物に関する情報と、第２の飲食物提供者によって提供される飲食物に関する情報と、
が記載されていることを特徴とする複合チラシ。
【請求項２】
前記電話番号及び／又は前記二次元コードが第１面に記載され、
少なくとも、前記第１の飲食物提供者によって提供される飲食物に関する情報と、前記第２の飲食物提供者によって提供される飲食物に関する情報とが第２面に記載されていることを特徴とする請求項１に記載の複合チラシ。
【請求項３】
前記二次元コードが、マトリックス型二次元コードであることを特徴とする請求項１又は２に記載の複合チラシ。
【請求項４】
少なくとも、第１のエリアと第２のエリアを有し、
前記第１のエリアには、前記第１の飲食物提供者によって提供される飲食物に関する情報が記載され、
前記第２のエリアには、前記第２の飲食物提供者によって提供される飲食物に関する情報が記載されることを特徴とする請求項１乃至３のいずれか一項に記載の複合チラシ。
【請求項５】
前記第１のエリアと前記第２のエリアとは、面積が等しく、かつ形状も等しいことを特徴とする請求項４に記載の複合チラシ。
【請求項６】
配達可能範囲が示された地図が記載されていることを特徴とする請求項１乃至５のいずれか一項に記載の複合チラシ。
【発明の詳細な説明】
【技術分野】
【０００１】
本発明は、複数の飲食店等の広告が掲載された複合チラシに関する。
【背景技術】
【０００２】
一般的なチラシは、飲食店等が地域を設定して、自社が提供する飲食物の品質、価格やサービスをアピールするものである。複数の飲食店等が種々のデザイン、サイズの広告を配布するが、その多くはユーザの手に届いても短期間に処分されてしまうことが多い。
一方、新聞等に折り込まれて配布される広告用チラシを長く生活者の手元に留めるものとして、チラシにスリットを形成するための切り込み線を形成し、予め紙面に印刷されたカレンダーをスリットを介して露出させるようにした変わりチラシが提案されているが、このタイプのチラシは、広告情報を掲載できる紙面の一部をカレンダーに割り当てないとならないものである（特許文献１）。
【先行技術文献】
【特許文献】
【０００３】
【特許文献１】特開平９−８１０３８号公報
【発明の概要】
【発明が解決しようとする課題】
【０００４】
従来のチラシは、個々の飲食店が作成するものであるため、複数の飲食店に注文する際は、各飲食店に電話をする又は各飲食店の注文用ウェブサイトにアクセスする必要があるという課題があった。
また、デザインやサイズがばらばらであるために比較検討がし難く、また各チラシには個々の飲食店に関する情報しか掲載されていないため、消費者（一般ユーザ）に保存・保管しておこうという気を起こさせるものではないという課題があった。
【０００５】
本発明は、前記課題に鑑みてなされたものであって、複数の飲食店が提供する飲食物を注文する場合であっても、各飲食店に電話をする又は各飲食店の注文用ウェブサイトにアクセスしなくても済むようにすることを目的とする。また、複数の飲食店が提供する飲食物の比較検討を容易にすることを目的とする。
【課題を解決するための手段】
【０００６】
上記目的を達成するために、本発明の複合チラシは、注文受付用電話の電話番号及び／又は注文受付用ウェブサイトのＵＲＬに対応する二次元コードと、少なくとも、第１の飲食物提供者によって提供される飲食物に関する情報と、第２の飲食物提供者によって提供される飲食物に関する情報とが記載されていることを特徴とする。
前記電話番号及び／又は前記二次元コードは第１面に記載され、少なくとも、前記第１の飲食物提供者によって提供される飲食物に関する情報と、前記第２の飲食物提供者によって提供される飲食物に関する情報とが第２面に記載されていることが好ましい。
【０００７】
前記二次元コードは、マトリックス型二次元コードであることが好ましい。
また、少なくとも、第１のエリアと第２のエリアを有し、前記第１のエリアには、前記第１の飲食物提供者によって提供される飲食物に関する情報が記載され、前記第２のエリアには、前記第２の飲食物提供者によって提供される飲食物に関する情報が記載されることが好ましい。
また、前記第１のエリアと前記第２のエリアとは、面積が等しく、かつ形状も等しいことが好ましい。
さらに、配達可能範囲が示された地図が記載されていることが好ましい。
【発明の効果】
【０００８】
本発明によれば、一つの電話番号に電話をする又は一つの注文用ウェブサイトにアクセスすれば、複数の飲食店が提供する飲食物を注文することが可能になる。
また、複数の飲食店が提供する飲食物の比較検討が容易にできる。
さらに、複数の飲食店が個別にチラシを作成する場合と比べて、作成に要するコストを削減することが可能になる。
【図面の簡単な説明】
【０００９】
【図１】本発明の実施の形態に係る複合チラシの一例（全体）である。
【図２】本発明の実施の形態に係る複合チラシの一例（第１面）である。
【図３】本発明の実施の形態に係る複合チラシの一例（第２面）である。
【図４】本発明の実施の形態に係る複合チラシの一例（第２面）である。
【図５】本発明の実施の形態に係る複合チラシの一例（第２面）である。
【図６】本発明の複合チラシの作成・配布の全体的な流れを示す図である。
【図７】従来のチラシの作成・配布の全体的な流れを示す図である。
【発明を実施するための形態】
【００１０】
以下、本発明の実施の形態を、図面を用いて説明する。本発明の技術的範囲は以下の実施の形態によって制限されるものではない。
【００１１】
［チラシの作成・配布の全体的な流れ］
図６は、本発明の複合チラシの作成・配布の全体的な流れを示し、図５は、従来のチラシの作成・配布の全体的な流れを示す図である。
【００１２】
図５に示すように、従来は、各店舗がそれぞれ独自にチラシを作成していた。これに対して、図６に示すように、本発明では、各店舗の広告が掲載された複合チラシをまとめて作成すれば良いため、チラシ作成の総コストを減じることができる。
【００１３】
［複合チラシの全体構成］
図１に示すように、実施の形態に係る複合チラシは、第１面１０、第２面２０、第３面３０から構成されている。
【００１４】
［複合チラシ  第１面］
図２に基づいて、実施の形態に係る複合チラシの第１面１０について説明する。同図に示すよう、電話番号記載エリア１１には、注文受付用電話の電話番号が記載されている。また、第１面１０の二次元コード記載エリア１２には注文受付用ウェブサイトのＵＲＬに対応する二次元コードが記載されている。さらに、第１面１０の配達可能範囲記載エリア１３には配達可能範囲を示す地図が記載されている。１４は山折り線を示す。
二次元コードは、図２に示すようなマトリックス型二次元コード（ＱＲコード：登録商標）であることが好ましい。
【００１５】
［複合チラシ  第２面  その１］
図３に基づいて、実施の形態に係る複合チラシの第２面２０について説明する。同図に示すよう、第１のエリア２１には、第１の飲食物提供者によって提供される飲食物に関する情報が、第２のエリア２２には、第２の飲食物提供者によって提供される飲食物に関する情報が、第３のエリア２３には、第３の飲食物提供者によって提供される飲食物に関する情報が記載されている。同図に示すように、第１〜３の各エリアは形状および面積が等しいことが好ましい。２６は山折り線を示す。
【００１６】
［複合チラシ  第２面  その２］
図４に基づいて、実施の形態に係る複合チラシの第２面２０の別の例について説明する。同図に示す例では、第１のエリア２１には、第１の飲食物提供者によって提供される飲食物に関する情報が、第２のエリア２２には、第２の飲食物提供者によって提供される飲食物に関する情報が記載されている。第１〜２の各エリアは形状および面積が等しいことが好ましい。２６は山折り線を示す。
図３に示す例では、第１〜３の各エリアは横長であるが、図４に示す例では、第１〜２の各エリアは縦長である。
【００１７】
［複合チラシ  第２面  その３］
図５に基づいて、実施の形態に係る複合チラシの第２面２０の別の例について説明する。同図に示す例では、第１のエリア２１には、第１の飲食物提供者によって提供される飲食物に関する情報が、第２のエリア２２には、第２の飲食物提供者によって提供される飲食物に関する情報が、第３のエリア２３には、第３の飲食物提供者によって提供される飲食物に関する情報が、第４のエリア２４には、第４の飲食物提供者によって提供される飲食物に関する情報が、記載されている。第１〜４の各エリアは形状および面積が等しいことが好ましい。２５は谷折り線、２６は山折り線、２７は谷折り線を示す。
図５に示す例では、第２面２０は、第１〜４の各エリア（印刷範囲）から構成されるが、第２面を構成するエリアは、４以下である必要はなく、４より多くても良いことは言うまでもない。
【符号の説明】
【００１８】
１０  複合チラシの第１面
２０  複合チラシの第２面
【図１】
2012208355.tif 000003
【図２】
2012208355.tif 000004
【図３】
2012208355.tif 000005
【図４】
2012208355.tif 000006
【図５】
2012208355.tif 000007
【図６】
2012208355.tif 000008
【図７】
2012208355.tif 000009